(57)【特許請求の範囲】
【請求項１】
少なくとも３層の多層板構造をなし、その表裏の層は、多孔金属板に脱臭剤を付着せしめた金属フィルター部材により形成され、その中間の少なくとも１層は、脱臭剤を付着せしめた多孔の弾性フィルター部材により形成され、これら各フィルター部材が板状に結合又は分解自在とされていることを特徴とする脱臭フィルター。
【請求項２】
前記金属フィルター部材には、少なくともチタニア系化合物を主剤とする脱臭物質が付着され、前記弾性フィルター部材には少なくとも活性炭の類よりなる脱臭物質が付着されていることを特徴とする請求項１に記載の脱臭フィルター。
【発明の詳細な説明】
【技術分野】
【０００１】
本発明は、主として、飲食店やホテルなどの業務用厨房から屋外に排出される排気に含まれる悪臭の脱臭フィルターに関するものである。
【背景技術】
【０００２】
近年、飲食店などの業務用厨房からダクトなどを介して屋外に大量に排気される排気中に含まれる悪臭が、都市型悪臭公害の原因の一つに挙げられている。
【０００３】
このような悪臭を除去させる為、例えば、下記特許文献１に示される厨房排気用脱臭装置が提案されている。特許文献１の厨房排気用脱臭装置は、厨房のレンジフードから導かれる排気ダクトの途中に、脱臭フィルターを介設させた基本構造を有している。
【特許文献１】特開２００１−２１８８２３号公報
【発明の開示】
【発明が解決しようとする課題】
【０００４】
しかしながら、このような従来の脱臭装置では、脱臭フィルターの正面の面積が排気ダクトの内径の面積に限定され、排気と脱臭フィルターとの接触面積に限界があり、このような限界は、レンジフード内に脱臭フィルターを設けた場合にも同様である。かかる限界に対応するため、多孔の脱臭フィルターの厚さを厚くすることも考えられるが、目詰まりが生じやすく、保守点検も面倒であるなどの課題がある。また、上記従来の脱臭装置では、排気圧に関し、圧力損失が生じ、排気の吸い込み不良の問題が生じるのみならず、吸い込み不良の問題を解決するために排気圧力を上げると、排気と脱臭フィルターとの接触時間が短くなり、脱臭の目的を達成することが困難となる。
【０００５】
本発明は、以上の課題を解決するものであり、その目的とするところは、主として厨房からの排気と脱臭フィルターとの面方向の接触面積を十分大きくすることにより比較的低い排気圧により効果的に脱臭させることを可能とし、脱臭フィルターの洗浄や取り替えなども容易とし、厨房排気中の悪臭の除去機能を向上させた脱臭フィルターを提供するにある。
【課題を解決するための手段】
【０００６】
前記目的を達成するため、本発明の脱臭フィルターは、少なくとも３層の多層板構造をなし、その表裏の層は、多孔金属板に脱臭剤を付着せしめた金属フィルター部材３Ａにより形成され、その中間の少なくとも１層は、脱臭剤を付着せしめた多孔の弾性フィルター部材３Ｂにより形成され、これら各フィルター部材が板状に結合又は分解自在とされていることを特徴とする。
【０００７】
上記金属フィルター部材３Ａには、チタニア系化合物を主剤とする脱臭物質が付着され、上記弾性フィルター部材３Ｂには、活性炭の類よりなる脱臭物質が付着されていることを特徴とする。弾性フィルター部材３Ｂには、活性炭の類に消臭剤を含浸させたものを脱臭物質として付着させることが有効である。
【０００８】
上記脱臭フィルターの構造によれば、多様な臭気物質を、上記金属フィルター部材３Ａと弾性フィルター部材３Ｂとにより効率良く補足して脱臭させることができる。また、表面が金属フィルター部材３Ａによって構成され中間部の弾性フィルター部材３Ｂが保護されているので、構造的に堅牢であり、剥離しやすく劣化しやすい活性炭の類を中間の弾性フィルター部材３Ｂに保持させているので、その脱臭効果の永続性も期待できる。
【発明の効果】
【０００９】
以上の構成により、本発明の脱臭フィルターでは、多様な臭気物質を効率良く補足して脱臭させることができ、構造的にも堅牢で、保守及び洗浄や脱臭効果の再生作業も容易である。
【発明を実施するための最良の形態】
【００１０】
以下本発明の実施の形態に付き添付図面を参照して説明する。図１〜図７は本発明に係る脱臭フィルターを用いた厨房排気用脱臭装置の第１の実施の形態を示す。
【００１１】
この脱臭装置は、密閉箱型の脱臭機本体１を具備し、その底面には、排気ダクトＤの先端部が接続開口されている。排気ダクトＤは、臭気を含む厨房排気を屋内側から屋外側に導いて排出させる経路（排気ダクトＤ１）の屋外側端部に接続され、該排気を脱臭機本体１の内部に導入させる。排気ダクトＤ１の先端部は、例えば、厨房のレンジフードに接続開口している。
【００１２】
脱臭機本体１は、その周壁が多角形状（この実施の形態では４角形状）とされ、多角の各平坦壁の夫々に窓形の排出口２が形成され、各排出口２には、脱臭機能を有する多孔のフィルター板３が夫々着脱自在に設けられている。各フィルター板３は、矩形の厚板状をなし、分解自在の多層構造とされている。排気ダクトＤから脱臭機本体１の内部に導入された上記排気が、フィルター板３を通して脱臭機本体１外に脱臭排出される。
【００１３】
排出口２の上下の対向縁部には、互いに対向するレール部４が形成され、このレール部４に沿ってフィルター板３が挿入及び引出し自在に挿入され、フィルター板３が排出口２全体を密に覆うようにされている。レール部４は、Ｌ形片の基縁に取付片が一体に折曲形成された全体として略Ｚ形の長手部材であり、脱臭機本体１の外壁面に着脱自在に固定されている。フィルター板３は、排出口２の一側方からレール部４、４内に挿入され、排出口２の他側方の縁部に突出して設けられたストッパー部７に、挿入状態のフィルター板３が付き当てられる。ストッパー部７は、レール部４と同一形状の全体として略Ｚ形の長手部材により形成される。フィルター板３は、その上記挿入状態において、その上下の縁の前面と他側の縁の前面が、レール部４の上片４ａとストッパー部７の上片７ａに覆われるようになっている。
【００１４】
排出口２の一側方の縁部には、挿入状態にあるフィルター板３を着脱自在に固定するための一個又は複数個（この実施の形態では上下２個）の固定具５が、着脱自在に設けられている。固定具５は、上記縁部のフレームに形成された螺子孔に螺脱自在に螺挿される蝶ボルトよりなる着脱部材８と、この着脱部材８の外周に螺回自在に保持される固定駒９とにより構成される。固定駒９は、コ形をなし、その上下片の螺子孔が着脱部材８の外周に螺回自在に保持され、上片の先端延長部に下方向に折り曲げ形成された押え片９ａが、挿入状態にあるフィルター板３の一側縁部の上面を押圧固定するようになっている。
【００１５】
脱臭機本体１にフィルター板３を取り付けるためには、固定具５の着脱部材８を螺回して取り外した状態で、レール部４、４にフィルター板３を挿入して排出口２を塞ぎ、着脱部材８を螺締させる。これにより、固定駒９の押え片９ａで、フィルター板３の縁部の上面を押し圧させるようにすればよい。
【００１６】
脱臭機本体１の各平坦壁部の前側には、排出口２及びフィルター板３と平行に所定の間隔を明けて、平板状のカバー６が設けられている。カバー６は、側面略コ形の板体により形成され、その上下端縁部が上記脱臭機本体１の壁部における排出口２の上下に着脱自在に固定されている。排出口２及びフィルター板３から排出される排気は、カバー６に当たって、両側方に分散して排出される。図中参照符号１２は、脱臭機本体１を屋外の平地又は屋根などに支持する脚部である。
【００１７】
平板状のカバー６の例えば四隅をステーにより脱臭機本体１の壁部に固定させることにより、排出口２及びフィルター板３から排出される排気をカバー６の上下左右に分散して排出させるようにしても良い。
【００１８】
脱臭フィルターを構成する上記フィルター板３は、図６及び７に示すように、脱臭機能を有する多孔矩形の厚板状をなす。このフィルター板３は、少なくとも３層の多層板構造をなし、その表裏の層は、多孔金属板に脱臭剤を付着せしめた金属フィルター部材３Ａにより形成され、その中間の少なくとも１層は、脱臭剤を付着せしめた多孔の弾性フィルター部材３Ｂにより形成される。これら各フィルター部材が多層に積層されて、周囲がコ形の金属縁板１０内に挿入され、ビスなどの止め具１１により、板状に結合又は分解自在とされている。フィルター板３を構成する上記各フィルター部材は、三次元網目状（多孔体）により形成され、臭気物質と脱臭剤との接触表面積を広くする事で、臭気物質との接触効率を高め、臭気物質の分解の速攻性を持たせている。また接触表面積を広くする事で８０％以上の空孔率を作りだし、表面積０．２５m2が確保することで、フィルター板３一枚当たり９００m3／ｈの風量が処理できるようになっている。
【００１９】
金属フィルター部材３Ａは、ニッケル線材による多孔金網状の構造であり、該金属フィルター部材３Ａには、チタニア系化合物を主剤とする脱臭物質が、スプレーによる吹き付け乾燥などの方法により付着されている。弾性フィルター部材３Ｂは、ポリウレタン樹脂による多孔板体により形成され、活性炭の類に水性消臭剤をスプレー含浸或いは薬液に漬けて含浸させ、このような脱臭物質の粒又は粉材が浸漬又は吹き付けなどにより付着されている。消臭剤としては、排気中の、アンモニア、トリメチルアミン（魚臭）、及びメチルメルカプタン（腐臭）に対して脱臭作用がある、公知の消臭剤を使用することができる。活性炭の微細な細孔で悪臭物質を吸着し、活性炭に施した上記の脱臭剤で吸着した臭気物質を中和分解する。
【００２０】
上記脱臭フィルターの構造によれば、多様な臭気物質を、上記金属フィルター部材３Ａと弾性フィルター部材３Ｂとにより効率良く補足して脱臭させることができる。表面の金属フィルター部材３Ａにチタニア系化合物を主剤とする脱臭物質が付着されているので、光触媒と同じ活性酸素を利用して脱臭するが、空気に触れているだけで活性を繰り返し、脱臭効果の永続性も期待できる。また、表面の金属フィルター部材３Ａによって、中間部の弾性フィルター部材３Ｂが保護されているので、構造的に堅牢であり、容易に分解して、中間の弾性フィルター部材３Ｂに新たな活性炭の類を浸漬して保持させることができ、その保守管理並びに再生も容易である。
【００２１】
本発明の実施例によれば、金属フィルター部材３Ａのチタニア系化合物により、厨房排気中の悪臭物資である、アンモニア（炭化時に発生）を除去率９９．７％、硫化水素を同８６．０％、酢酸を同９４．９％、イソ吉草酸を同９３．０％、アセトアルデヒドを同６５．０％の高除去率で除去させることができた。さらに、弾性フィルター部材３Ｂの消臭剤により、同アンモニアを同９８．０％、トリメチルアミン（魚臭）を同９１．０％、メチルメルカプタン（腐臭）を同８６．０％の高除去率で除去させることができた。
【００２２】
図８は、本発明に係る厨房排気用脱臭装置の第２の実施の形態を示す。
この実施の形態では、脱臭機本体１の多角の各平坦壁の夫々に排出口２及びフィルター板３が２個づつ並設されて設けられている。排出口２及びフィルター板３が各平坦壁の上下左右に４個づつ並設されて設けられていても良い。
このように、一壁部に、複数の排出口２及びフィルター板３を並設して設けることにより、各フィルター板３の平面積を小さく形成させることができ、その着脱などの取り扱い、及び分解組み立て、洗浄などの作業が容易になる。
その他の構成と作用は、上記第１の実施形態と同様であるので、図面の対応箇所には同等の参照符号を付して、その詳細な説明は省略する。
【産業上の利用可能性】
【００２３】
本発明は、業務用のみならず家庭用厨房、トイレ、倉庫、ゴミなどの集積所など、悪臭の発生源からの排気経路の屋外側端部の排出部に設置して用いることができる。
【図面の簡単な説明】
【００２４】
【図１】本発明の第１実施形態にかかる脱臭機の概略構成図である。
【図２】同脱臭機の斜視図である。
【図３】同脱臭機のカバーを外した側面図である。
【図４】同脱臭機のカバーを外した平面図である。
【図５】同脱臭機の脱臭フィルター部分の分解斜視図である。
【図６】同脱臭機のフィルター板の斜視図である。
【図７】同脱臭機のフィルター板の分解斜視図である。
【図８】本発明の第２実施形態にかかる脱臭機のカバーを外した側面図である。
【符号の説明】
【００２５】
Ｄ，Ｄ１  ダクト
１  脱臭機本体
２  排出口
３  フィルター板、３Ａ  金属フィルター部材、３Ｂ  弾性フィルター部材
４  レール部、４ａ  上片
５  固定具
６  カバー
７  ストッパー部、７ａ  上片
８  着脱部材
９  固定駒、９ａ  押え片
１０  縁板
１１  止め具
１２  脚部
【図１】
0004020887.tif 000002
【図２】
0004020887.tif 000003
【図３】
0004020887.tif 000004
【図４】
0004020887.tif 000005
【図５】
0004020887.tif 000006
【図６】
0004020887.tif 000007
【図７】
0004020887.tif 000008
【図８】
0004020887.tif 000009